(57)【要約】【課題】組み付け作業を容易にしつつハウジングと基板との固定を強固にすることができるコネクタの固定構造を提供する。【解決手段】基板２に設けた貫通孔２２にハウジングに設けた一対の係止突起３１ｃを挿入して、一対の係止突起３１ｃの先端に設けた係止爪３１ｃ−１を基板２に係止させることにより、基板２にコネクタを固定する。上記基板２に一対の係止突起３１ｃの間に挟まれ、一対の係止突起３１ｃを押し広げるガイド部２３を設ける。さらに、一対の係止突起３１ｃが、先端に向かうに従って互いに距離が離れるように設ける。【選択図】図４
2011060484.tif 000002
【特許請求の範囲】
【請求項１】
基板と、
前記基板に実装されるハウジング、及び、前記ハウジングに保持されると共に前記基板に電気的に接続された端子、が設けられたコネクタと、を備え、
前記基板に設けた貫通孔に前記ハウジングに設けた一対の係止突起を挿入して、前記一対の係止突起の先端に設けた係止爪を前記基板に係止させることにより、前記基板に前記コネクタを固定するコネクタの固定構造において、
前記一対の係止突起の間に挟まれ、前記一対の係止突起を押し広げるガイド部を前記基板に設けた
ことを特徴とするコネクタの固定構造。
【請求項２】
前記一対の係止突起が、先端に向かうに従って互いの距離が離れるように設けられている
ことを特徴とする請求項１に記載のコネクタの固定構造。
【発明の詳細な説明】
【技術分野】
【０００１】
本発明は、コネクタの固定構造に係り、基板にコネクタを固定するためのコネクタの固定構造に関するものである。
【背景技術】
【０００２】
従来、上述したコネクタの固定構造として、例えば、図１２に示されたものが提案されている（特許文献１）。同図に示すように、従来のコネクタの固定構造１は、基板２と、この基板２に固定されたコネクタ３と、を備えている。上記コネクタ３には、基板２に実装される絶縁性のハウジング３１と、このハウジング３１に保持されると共に基板２に電気的に接続された端子３２と、が設けられている。
【０００３】
上記コネクタ３と基板２との固定は、下記のように行われる。まず、ハウジング３１から外部に引き出された端子３２のリード部を基板２に設けたスルーホール２１に通し、端子３２のリード部を基板２上に設けた回路に半田付けする。その後、ネジＮによりハウジング３１と基板２とを固定する。
【０００４】
しかしながら、上述したネジＮによる固定では下記に示すような問題点が発生する。まず、ネジＮの締め付けトルクを管理する必要があり、組み付け作業を容易に行うことができない。このトルク管理を怠ると空転や完全に着座しない恐れがある。また、ハウジング３１に設けた図示しないネジ穴の形状によっては、ネジＮの締め付け時にネジＮがネジ穴に斜めに入ってしまい、完全に着座しない恐れがあり、組み付け作業を容易に行うことができない。さらに、ハウジング３１の材料の変更により、ハウジング３１に設けたネジ穴の径を変更する必要がある。
【０００５】
そこで、上記問題を解決するために例えば図１３に示すようなコネクタの固定構造１が提案されている（特許文献２）。図１３に示すコネクタの固定構造１は、基板２に設けた貫通孔２２にハウジング３１に設けた一対の係止突起３１ｃを挿入して、一対の係止突起３１ｃの先端に設けた係止爪３１ｃ−１を基板に係止させることにより、基板２にコネクタ３を固定している。上述した係止による固定は、ネジＮのトルク管理をする必要もなく、基板２に設けた貫通孔２２に係止突起３１ｃを挿入するだけでよいので、取り付け作業を容易に行うことができる。しかしながら、上述した係止による固定は、ネジＮによる固定に比べて固定力が弱く、例えばコネクタ３に相手コネクタを嵌合させる際に係止突起３１ｃに力が加わると係止が外れてしまう恐れがあった。
【先行技術文献】
【特許文献】
【０００６】
【特許文献１】特開２００２−２１６８７８号公報
【発明の概要】
【発明が解決しようとする課題】
【０００７】
そこで、本発明は、組み付け作業を容易にしつつハウジングと基板との固定を強固にすることができるコネクタの固定構造を提供することを課題とする。
【課題を解決するための手段】
【０００８】
上述した課題を解決するための請求項１記載の発明は、基板と、前記基板に実装されるハウジング、及び、前記ハウジングに保持されると共に前記基板に電気的に接続された端子、が設けられたコネクタと、を備え、前記基板に設けた貫通孔に前記ハウジングに設けた一対の係止突起を挿入して、前記一対の係止突起の先端に設けた係止爪を前記基板に係止させることにより、前記基板に前記コネクタを固定するコネクタの固定構造において、前記一対の係止突起の間に挟まれ、前記一対の係止突起を押し広げるガイド部を前記基板に設けたことを特徴とするコネクタの固定構造に存する。
【０００９】
請求項２記載の発明は、前記一対の係止突起が、先端に向かうに従って互いの距離が離れるように設けられていることを特徴とする請求項１に記載のコネクタの固定構造に存する。
【発明の効果】
【００１０】
以上説明したように請求項１記載の発明によれば、ネジのトルク管理をする必要もなく、基板に設けた貫通孔に係止突起を挿入するだけでよいので、取り付け作業を容易に行うことができる。しかも、一対の係止突起の間に挟まれた基板上に設けたガイド部が、一対の係止突起を押し広げるので、係止突起が基板に押し付けられ、ハウジングと基板との固定を強固に行うことができる。
【００１１】
請求項２記載の発明によれば、先端における一対の係止突起間の距離が広いので、一対の係止突起を貫通孔に挿入しやすくなり、より一層、取り付け作業を容易に行うことができる。
【図面の簡単な説明】
【００１２】
【図１】本発明のコネクタの固定構造の一実施形態を示す斜視図である。
【図２】（Ａ）〜（Ｄ）は各々、図１に示すコネクタの固定構造を示す上面図、正面図、背面図及び側面図である。
【図３】図２（Ａ）のＡ−Ａ線断面図である。
【図４】図３のＢ部の拡大図である。
【図５】図１に示すコネクタの固定構造を構成するコネクタの斜視図である。
【図６】（Ａ）〜（Ｄ）は各々、図５に示すコネクタの上面図、正面図、下面図及び側面図である。
【図７】図６（Ａ）のＣ−Ｃ線断面図である。
【図８】図１に示すコネクタの固定構造を構成する基板の斜視図である。
【図９】（Ａ）〜（Ｃ）は各々、図８に示す基板の上面図、正面図及び下面図である。
【図１０】図９（Ａ）のＤ−Ｄ線断面図である。
【図１１】（Ａ）は図７のＥ部の拡大図であり、（Ｂ）は図１０のＦ部の拡大図である。
【図１２】従来のコネクタの固定構造の一例を示す部分断面図である。
【図１３】従来のコネクタの固定構造の一例を示す部分断面図である。
【発明を実施するための形態】
【００１３】
以下、本発明の実施の形態を図１〜図１１に基づいて説明する。図１などに示すように、本発明のコネクタの固定構造１は、基板２と、この基板２に固定されたコネクタ３と、を備えている。上記基板２は、図８、図９などに示すように、後述するコネクタ３の端子３２が通されるスルーホール２１と、コネクタ３の係止突起３１ｃが通される貫通孔２２などが設けられている。
【００１４】
上記コネクタ３は、図１などに示すように、基板２に実装される合成樹脂製の絶縁性のハウジング３１と、このハウジング３１に保持されると共に基板２に電気的に接続された端子３２と、が設けられている。上記端子３２は、ハウジング３１内に保持されていて、相手コネクタの雄端子が嵌合される図示しない雌端子部と、ハウジング３１から引き出されて基板２に電気的に接続されるリード部３２ａと、が長手方向に連なって設けられている。
【００１５】
上記ハウジング３１は、箱型に設けられていて、図６などに示すように、後述する端子収容室３１ａ−１が設けられた本体部３１ａと、この本体部３１ａを挟むように設けられた一対のフランジ部３１ｂと、一対のフランジ部３１ｂのそれぞれの下面に設けられた一対の係止突起３１ｃと、を備えている。上記本体部３１ａには、図６（Ｂ）などに示すように、端子収容室３１ａ−１が二段に各々１２個づつ設けられている。各端子収容室３１ａ−１には、端子３２の図示しない雌端子部が収容されている。
【００１６】
上記各端子収容室３１ａ−１は、端子３２の長手方向両側に開口が設けられていて、長手方向の相手コネクタ側の開口から図示しない相手コネクタの雄端子部が進入して雌端子部に嵌合される。また、相手コネクタから離れた側の開口からリード部３２ａが引き出されている。ハウジング３１から引き出されたリード部３２ａは各々、図１などに示すように、略直角に折り曲げられて、基板２に設けたスルーホール２１に挿入され、半田付けにより基板２に電気的に接続される。
【００１７】
上記一対のフランジ部３１ｂは、本体部３１ａの相手コネクタ側、かつ、基板２側に設けられている。この一対のフランジ部３１ｂから基板２に向かって突出する一対の係止突起３１ｃが設けられている。一対の係止突起３１ｃは、図４などに示すように、互いに接離する方向に撓むように設けられていて、その先端に互いに離れる方向に向かって突出する係止爪３１ｃ−１が設けられている。一対の係止突起３１ｃは、基板２に設けた貫通孔２２に挿入されると、図４に示すように係止爪３１ｃ−１が基板２に係止する。
【００１８】
上記基板２には、図９などに示すように、ガイド部２３が設けられ、このガイド部２３を挟むように一対の貫通孔２２が設けられている。このガイド部２３は、図４などに示すように、一対の貫通孔２２にそれぞれ一対の係止突起３１ｃを通すと、一対の係止突起３１ｃ間に挟まれるように設けられている。
【００１９】
次に、一対の係止突起３１ｃの寸法について図１１を参照にして説明する。同図に示すように、一対の係止突起３１ｃは、先端に向かうに従って互いの距離が離れるように設けられている。そして、先端における一対の係止突起３１ｃ間の距離ｅは、ガイド部２３の幅ｉよりも大きく設けられている。また、係止爪３１ｃ−１の幅ｇは、貫通孔２２の幅ｈよりも小さくなるように設けられている。これにより、スムーズに一対の係止突起３１ｃ−１を貫通孔２２に通すことができる。さらに、上記一対の係止突起３１ｃは、先端から離れるに従って互いの距離が近づくように設けられていて、その中間部の距離ｆがガイド部２３の幅ｉよりも狭くなっている。これにより、貫通孔２２に一対の係止突起３１ｃを中間部まで挿入すると、ガイド部２３が一対の係止突起３１ｃを互いに離れる方向に押し広げる。
【００２０】
次に、上述した構成のコネクタの固定構造１の取り付け手順について説明する。まず、コネクタ３を基板２に近づけて、端子３２のリード部３２ａを基板２に設けたスルーホール２１に通す。さらに、コネクタ３を基板２に近づけて、一対の係止突起３１ｃをガイド部２３に沿って貫通孔２２に通し、係止爪３１ｃ−１を基板２の裏側に係止させる。このとき、ガイド部２３により一対の係止突起３１ｃが押し広げられているので、係止突起３１ｃが基板２に押し付けられ、強固に係止される。
【００２１】
上述したコネクタの固定構造１によれば、ネジのトルク管理をする必要もなく、基板２に設けた貫通孔２２に係止突起３１ｃを挿入するだけでよいので、取り付け作業を容易に行うことができる。しかも、一対の係止突起３１ｃの間に挟まれた基板２上に設けたガイド部２３が、一対の係止突起３１ｃを押し広げるので、ハウジング３１と基板２との固定を強固に行うことができる。
【００２２】
また、上述したコネクタの固定構造１によれば、一対の係止突起３１ｃが、先端に向かうに従って互いの距離が離れるように設けられているので、先端における一対の係止突起３１ｃ間の距離が広く、一対の係止突起３１ｃを貫通孔２２に挿入しやすくなり、より一層、取り付け作業を容易に行うことができる。
【００２３】
なお、上述した実施形態では、一対の係止突起３１ｃが、先端に向かうに従って互いの距離が離れるように設けられているが、本発明はこれに限ったものではない。例えば、先端からフランジ部３１ｂ側にかけて一対の係止突起３１ｃの距離が同じになるように設けても良い。
【００２４】
また、上述した実施形態では、端子３２としては雌端子であったが、本発明はこれに限ったものではなく、雄端子であってもよい。
【００２５】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２６】
１          コネクタの固定構造
２          基板
３          コネクタ
２２        貫通孔
２３        ガイド部
３１        ハウジング
３１ｃ      係止突起
３１ｃ−１  係止爪
３２        端子
【図１】
2011060484.tif 000003
【図２】
2011060484.tif 000004
【図３】
2011060484.tif 000005
【図４】
2011060484.tif 000006
【図５】
2011060484.tif 000007
【図６】
2011060484.tif 000008
【図７】
2011060484.tif 000009
【図８】
2011060484.tif 000010
【図９】
2011060484.tif 000011
【図１０】
2011060484.tif 000012
【図１１】
2011060484.tif 000013
【図１２】
2011060484.tif 000014
【図１３】
2011060484.tif 000015